(57)【要約】  ２次元表示と３次元表示との切り替えにおける明るさのちらつきを抑制する。携帯電話機のＣＰＵ（３１０）は、バッファ（１７１０，１７２０）と、２次元と３次元との切り替えを検知する視差判定部（１７３０）と、画像処理部（１７４０）とを含む。画像処理部（１７４０）は、２次元の表示と３次元の表示との間で表示態様が切り替えられるときに、視差バリアの形成によるディスプレイの明るさの時間的変化特性に応じて、バックライトの輝度を制御する。
2012046686.tif 000002
【特許請求の範囲】
【請求項１】
３次元の画像を表示可能な画像表示機器であって、
液晶表示装置と、
前記液晶表示装置に光を供給するバックライトと、
視差バリアを形成するように構成された形成部と、
２次元の表示と３次元の表示との間で表示態様が切り替えられるときに、前記視差バリアの形成による前記液晶表示装置の明るさの時間的変化特性に応じて、前記バックライトの輝度を制御するためのコントローラとを備える、画像表示機器。
【請求項２】
前記コントローラは、前記時間的変化特性を表わす関数の逆関数に従う時間的変化特性に基づいて、前記バックライトの輝度を制御するように構成されている、請求項１に記載の画像表示機器。
【請求項３】
前記コントローラは、２次元の表示から３次元の表示に切り替えるときに、前記バックライトに供給される電流を予め定められた大きさだけ増加することにより、前記バックライトの輝度を制御するように構成されている、請求項１または２に記載の画像表示機器。
【請求項４】
前記コントローラは、２次元の表示から３次元の表示に切り替えるときに、前記形成部の駆動を制御するための信号値を、３次元の表示が行なわれているときに供給される定格信号値よりもオーバーシュートさせることにより、前記形成部が視差を形成するための時間を、定格信号値が与えられた場合に必要な時間よりも短くするように構成されている、請求項１に記載の画像表示機器。
【請求項５】
前記コントローラは、２次元の表示から３次元の表示に切り替えるときに、前記形成部が視差を形成するために信号値が前記形成部に与えられるタイミングを予め定められた時間だけ早めることにより、視差バリアが形成された状態で２次元の画像を表示するように構成されている、請求項１に記載の画像表示機器。
【請求項６】
前記コントローラは、２次元の表示から３次元の表示に切り替えるときに、視差バリアを形成するために前記形成部に与えられる信号値のデューティー比を漸増させることにより、前記形成部による視差バリアの形成を制御するように構成されている、請求項１に記載の画像表示機器。
【請求項７】
予め準備された画像を表示する画像データを記憶するためのメモリをさらに備え、
前記コントローラは、２次元の表示から３次元の表示に切り替えるときに、前記メモリに記憶されているデータに基づいて前記予め定められた画像を前記液晶表示装置に表示させるように構成されている、請求項１から６のいずれかに記載の画像表示機器。
【請求項８】
前記画像表示機器の縦横の姿勢を検出するように構成された姿勢検出部をさらに備え、
前記コントローラは、前記画像表示機器の姿勢が縦と横との間で切り替わるときに、斜め方向の視差バリアを前記形成部に形成させるように構成されている、請求項１から７のいずれかに記載の画像表示機器。
【請求項９】
前記画像表示機器の縦横の姿勢を検出するように構成されたセンサをさらに備え、
前記コントローラは、前記画像表示機器の姿勢が縦と横との間で切り替わるときに、前記画像表示機器の回転に応じて画像を表示するためにデータが出力される画素を選択するように構成されている、請求項１から７のいずれかに記載の画像表示機器。
【請求項１０】
前記コントローラは、３次元の表示から２次元の表示に切り替えるときに、前記形成部による視差バリアの形成が解除された後、前記液晶パネルの輝度が変化するまで、バックライトに供給される電流の調整を待機するように構成されている、請求項１から９のいずれかに記載の画像表示機器。
【請求項１１】
視差バリアを形成することにより３次元の画像を表示可能な表示装置に接続されて、前記表示装置による画像の表示を制御するための表示制御装置であって、前記表示装置は、液晶表示装置と、前記液晶表示装置に光を供給するバックライトと、視差バリアを形成するための形成部とを備えており、
前記表示制御装置は、
前記表示装置との間で制御信号を通信するように構成された通信回路と、
２次元の表示と３次元の表示との間で表示態様が切り替えられるときに、前記視差バリアの形成による前記液晶表示装置の明るさの時間的変化特性に応じて、前記バックライトの輝度を制御するためのコントローラとを備える、表示制御装置。
【請求項１２】
前記コントローラは、前記時間的変化特性を表わす関数の逆関数に従う時間的変化特性に基づいて、前記バックライトの輝度を制御するように構成されている、請求項１１に記載の表示制御装置。
【請求項１３】
前記コントローラは、２次元の表示から３次元の表示に切り替えるときに、前記バックライトに供給される電流を予め定められた大きさだけ増加することにより、前記バックライトの輝度を制御するように構成されている、請求項１１または１２に記載の表示制御装置。
【請求項１４】
前記コントローラは、２次元の表示から３次元の表示に切り替えるときに、前記形成部の駆動を制御するための信号値を、３次元の表示が行なわれているときに供給される定格信号値よりもオーバーシュートさせることにより、前記形成部が視差を形成するための時間を、定格信号値が与えられた場合に必要な時間よりも短くするように構成されている、請求項１１に記載の表示制御装置。
【請求項１５】
前記コントローラは、２次元の表示から３次元の表示に切り替えるときに、前記形成部が視差を形成するために信号値が前記形成部に与えられるタイミングを予め定められた時間だけ早めることにより、視差バリアが形成された状態で２次元の画像を表示するように構成されている、請求項１１に記載の表示制御装置。
【請求項１６】
前記コントローラは、２次元の表示から３次元の表示に切り替えるときに、視差バリアを形成するために前記形成部に与えられる信号値のデューティー比を漸増させることにより、前記形成部による視差バリアの形成を制御するように構成されている、請求項１１に記載の表示制御装置。
【請求項１７】
予め準備された画像を表示する画像データを記憶するためのメモリをさらに備え、
前記コントローラは、２次元の表示から３次元の表示に切り替えるときに、前記メモリに記憶されているデータに基づいて前記予め定められた画像を前記液晶表示装置に表示させるように構成されている、請求項１１から１６のいずれかに記載の表示制御装置。
【請求項１８】
前記コントローラは、３次元の表示から２次元の表示に切り替えるときに、前記形成部による視差バリアの形成が解除された後、前記液晶パネルの輝度が変化するまで、バックライトに供給される電流の調整を待機するように構成されている、請求項１１から１７のいずれかに記載の表示制御装置。
【発明の詳細な説明】
【技術分野】
【０００１】
この開示は、３次元の画像を表示可能な画像表示機器の制御に関し、より特定的には、この開示は、２次元の表示と３次元の表示との切り替えの制御に関する。
【背景技術】
【０００２】
３次元の画像を表示可能な装置が知られている。たとえば、特表２００７−５２９９６０号公報（特許文献１）は、３Ｄ取得及び表示のための個人用電子機器を開示している（段０００２参照）。特開２０１０−０５０６４５号公報（特許文献２）は、画面全体が動くような大きな動きを含む映像を見る際に生じる視覚的負担を軽減可能な画像処理装置を開示している（［要約］の［課題］参照）。
【先行技術文献】
【特許文献】
【０００３】
【特許文献１】特表２００７−５２９９６０号公報
【特許文献２】特開２０１０−０５０６４５号公報
【発明の概要】
【発明が解決しようとする課題】
【０００４】
３次元の画像を表示するために視差バリアを用いる方式の場合、３次元で表示される画像の明るさが、２次元で表示される画像の明るさよりも低下する場合があった。また、３次元の表示から２次元の表示に切り替える場合、画像が乱れる場合があった。したがって、２次元の表示と３次元の表示との間の切り替えがシームレスに行なわれることが必要とされている。他の局面において、２次元の表示と３次元の表示との間の切り替えをシームレスに行なうための表示制御が必要とされている。
【課題を解決するための手段】
【０００５】
一実施の形態に従うと、３次元の画像を表示可能な画像表示機器が提供される。この画像表示機器は、液晶表示装置と、液晶表示装置に光を供給するバックライトと、視差バリアを形成するように構成された形成部と、２次元の表示と３次元の表示との間で表示態様が切り替えられるときに、視差バリアの形成による液晶表示装置の明るさの時間的変化特性に応じて、バックライトの輝度を制御するためのコントローラとを備える。【０００６】
好ましくは、コントローラは、時間的変化特性を表わす関数の逆関数に従う時間的変化特性に基づいて、バックライトの輝度を制御するように構成されている。【０００７】
好ましくは、コントローラは、２次元の表示から３次元の表示に切り替えるときに、バックライトに供給される電流を予め定められた大きさだけ増加することにより、バックライトの輝度を制御するように構成されている。【０００８】
好ましくは、コントローラは、２次元の表示から３次元の表示に切り替えるときに、形成部の駆動を制御するための信号値を、３次元の表示が行なわれているときに供給される定格信号値よりもオーバーシュートさせることにより、形成部が視差を形成するための時間を、定格信号値が与えられた場合に必要な時間よりも短くするように構成されている。【０００９】
好ましくは、コントローラは、２次元の表示から３次元の表示に切り替えるときに、形成部が視差を形成するために信号値が形成部に与えられるタイミングを予め定められた時間だけ早めることにより、視差バリアが形成された状態で２次元の画像を表示するように構成されている。【００１０】
コントローラは、２次元の表示から３次元の表示に切り替えるときに、視差バリアを形成するために形成部に与えられる信号値のデューティー比を漸増させることにより、形成部による視差バリアの形成を制御するように構成されている。【００１１】
好ましくは、画像表示機器は、予め準備された画像を表示する画像データを記憶するためのメモリをさらに備える。コントローラは、２次元の表示から３次元の表示に切り替えるときに、メモリに記憶されているデータに基づいて予め定められた画像を液晶表示装置に表示させるように構成されている。【００１２】
好ましくは、画像表示機器は、当該画像表示機器の縦横の姿勢を検出するように構成された姿勢検出部をさらに備える。コントローラは、画像表示機器の姿勢が縦と横との間で切り替わるときに、斜め方向の視差バリアを形成部に形成させるように構成されている。【００１３】
好ましくは、画像表示機器は、当該画像表示機器の縦横の姿勢を検出するように構成されたセンサをさらに備える。コントローラは、画像表示機器の姿勢が縦と横との間で切り替わるときに、画像表示機器の回転に応じて画像を表示するためにデータが出力される画素を選択するように構成されている。【００１４】
好ましくは、コントローラは、３次元の表示から２次元の表示に切り替えるときに、形成部による視差バリアの形成が解除された後、液晶パネルの輝度が変化するまで、バックライトに供給される電流の調整を待機するように構成されている。【００１５】
他の実施の形態に従うと、視差バリアを形成することにより３次元の画像を表示可能な表示装置に接続されて、表示装置による画像の表示を制御するための表示制御装置が提供される。表示装置は、液晶表示装置と、液晶表示装置に光を供給するバックライトと、視差バリアを形成するための形成部とを備えている。表示制御装置は、表示装置との間で制御信号を通信するように構成された通信回路と、２次元の表示と３次元の表示との間で表示態様が切り替えられるときに、視差バリアの形成による液晶表示装置の明るさの時間的変化特性に応じて、バックライトの輝度を制御するためのコントローラとを備える。【００１６】
好ましくは、コントローラは、時間的変化特性を表わす関数の逆関数に従う時間的変化特性に基づいて、バックライトの輝度を制御するように構成されている。【００１７】
好ましくは、コントローラは、２次元の表示から３次元の表示に切り替えるときに、バックライトに供給される電流を予め定められた大きさだけ増加することにより、バックライトの輝度を制御するように構成されている。【００１８】
好ましくは、コントローラは、２次元の表示から３次元の表示に切り替えるときに、形成部の駆動を制御するための信号値を、３次元の表示が行なわれているときに供給される定格信号値よりもオーバーシュートさせることにより、形成部が視差を形成するための時間を、定格信号値が与えられた場合に必要な時間よりも短くするように構成されている。【００１９】
好ましくは、コントローラは、２次元の表示から３次元の表示に切り替えるときに、形成部が視差を形成するために信号値が形成部に与えられるタイミングを予め定められた時間だけ早めることにより、視差バリアが形成された状態で２次元の画像を表示するように構成されている。【００２０】
好ましくは、コントローラは、２次元の表示から３次元の表示に切り替えるときに、視差バリアを形成するために形成部に与えられる信号値のデューティー比を漸増させることにより、形成部による視差バリアの形成を制御するように構成されている。【００２１】
好ましくは、表示制御装置は、予め準備された画像を表示する画像データを記憶するためのメモリをさらに備える。コントローラは、２次元の表示から３次元の表示に切り替えるときに、メモリに記憶されているデータに基づいて予め定められた画像を液晶表示装置に表示させるように構成されている。【００２２】
好ましくは、コントローラは、３次元の表示から２次元の表示に切り替えるときに、形成部による視差バリアの形成が解除された後、液晶パネルの輝度が変化するまで、バックライトに供給される電流の調整を待機するように構成されている。
【発明の効果】
【００２３】
ある局面に従う画像表示機器によると、２次元の表示と３次元の表示との間の切り替えがシームレスに行なわれる。他の局面に従う表示制御装置によると、２次元の表示と３次元の表示との間の切り替えがシームレスに行なわれる。【００２４】
この発明の上記および他の目的、特徴、局面および利点は、添付の図面と関連して理解されるこの発明に関する次の詳細な説明から明らかとなるであろう。
【図面の簡単な説明】
【００２５】
【図１】携帯電話機１００が開かれた状態を表わす図である。
【図２】携帯電話機１００が折り畳まれた状態を表わす図である。
【図３】携帯電話機１００のハードウェア構成の表わすブロック図である。
【図４】２次元表示と３次元表示との間の切り替え時における輝度変化を説明するための図である。
【図５】ディスプレイ１５０が縦長方向および横長方向のいずれでも、その姿勢に応じて画像を表示可能な場合におけるディスプレイ１５０の構成を表わす図である。
【図６】２次元表示から３次元表示に切り替える場合における画像の不適切な表示を説明するための図である。
【図７】携帯電話機１００の動作特性を表わす図である。
【図８】他の局面に従う携帯電話機１００の動作特性を表わす図である。
【図９】さらに他の局面に従う携帯電話機１００の動作特性を表わす図である。
【図１０】さらに他の局面に従う携帯電話機１００の動作特性を表わす図である。
【図１１】さらに他の局面に従う携帯電話機１００の動作特性を表わす図である。
【図１２】３次元表示を行なっている携帯電話機１００を時計回りに約９０度回転させた時に形成される視差バリアを表わす図である。
【図１３】３次元表示を行なっている携帯電話機１００を時計回りに約９０度回転させた時の画素の配置を表わす図である。
【図１４】ディスプレイ１５０の明るさの変化を説明するための図（その１）である。
【図１５】ディスプレイ１５０の明るさの変化を説明するための図（その２）である。
【図１６】明るさ変化への他の対応を説明するための図（その１）である。
【図１７】明るさ変化への他の対応を説明するための図（その２）である。
【図１８】ＣＰＵ３１０の構成を詳細に表わす図である。
【図１９】画像再生装置１９００と３次元表示装置１９０とを表わす図である。
【図２０】携帯電話機１００による画像の表示態様を３次元表示から２次元の表示に切り替える時の制御を表わす図（その１）である。
【図２１】携帯電話機１００が縦方向であるときの３次元表示から横方向であるときの３次元の表示に切り替える時の制御を表わす図（その１）である。
【図２２】３次元表示から２次元の表示に切り替える時の制御を表わす図（その２）である。
【図２３】３次元表示から２次元の表示に切り替える時の制御を表わす図（その３）である。
【図２４】３次元表示から２次元の表示に切り替える時の制御を表わす図（その４）である。
【図２５】携帯電話機１００が縦方向であるときの３次元表示から横方向であるときの３次元の表示に切り替える時の制御を表わす図（その２）である。
【発明を実施するための形態】
【００２６】
以下、図面を参照しつつ、実施の形態について説明する。以下の説明では、同一の部品には同一の符号を付してある。それらの名称および機能も同じである。したがって、それらについての詳細な説明は繰り返さない。
【００２７】
なお、本実施の形態では、携帯電話機１００が例示されるが、その他の携帯通信端末、たとえば、ＰＤＡ、電子辞書その他の情報処理端末であって、少なくとも、視差バリアを用いて３次元表示が可能なディスプレイ装置を有する装置であれば、本実施の形態に係る技術思想を適用することができる。たとえば、テレビ、ＰＣモニタ、携帯型ゲーム装置等にも、当該技術思想を適用することができる。
【００２８】
また、他の局面において、ディスプレイ装置を内蔵しない機器であって、画像を出力する装置、たとえば、ハードディスク記録再生装置、ブルーレイディスク記録再生装置等にも適用され得る。この場合、当該機器と、当該機器に接続される外部表示装置（たとえば、視差バリアを用いて３次元表示可能なテレビ）との組み合わせによって、当該技術思想が適用される。この場合、機器は、外部表示装置に映像信号を送出するときに、外部表示装置の視差バリアの形成を制御するための信号を合わせて送る。この場合、当該技術思想は、具体的には、たとえば、画像表示制御回路として実現される。あるいは、他の局面においては、当該機器に含まれるプロセッサが、制御のためのプログラムを実行することにより、ハードウェアとソフトウェアとの協働として実現される。
【００２９】
図１および図２を参照して、本実施の形態に係る携帯電話機１００の構成について説明する。図１は、携帯電話機１００が開かれた状態を表わす図である。図２は、携帯電話機１００が折り畳まれた状態を表わす図である。
【００３０】
図１に示されるように、携帯電話機１００は、筐体１１０，１２０と、二軸ヒンジ１３０とを備える。二軸ヒンジ１３０は、筐体１２０に対して筐体１１０を、二軸方向に動くように構成されている。二軸のうちの１つは、筐体１１０と筐体１２０との開閉のためのものであり、他の１つは、筐体１１０を長手方向の回転軸を中心に筐体１２０に対して回転させるためのヒンジである。
【００３１】
携帯電話機１００は、さらに、スピーカ１４０と、タッチパネル式のディスプレイ１５０と、複数のボタン１６０と、マイク１７０とを備える。スピーカ１４０は、筐体１１０に取り付けられている。タッチパネル式のディスプレイ１５０は、筐体１１０に取り付けられている。ディスプレイ１５０は、液晶タイプ、有機ＥＬ（Electroluminescence）タイプその他の表示装置である。携帯電話機１００が開かれた状態（「第１の状態」ともいう）であるとき、ディスプレイ１５０は、二軸ヒンジ１３０によって、複数のボタン１６０が配置されている面と同じ方向および背面の方向のいずれをも向くように構成されている。
【００３２】
複数のボタン１６０は、携帯電話機１００に対する命令の入力を受け付けるスイッチとして構成されている。ある局面において、ボタン１６０は、物理的なキーとして実現されるが、他の局面において、複数のボタン１６０の一部又は全部が、ソフトウェアキーとして実現されてもよい。
【００３３】
図２を参照して、本実施の形態に係る携帯電話機１００は、折り畳まれたときに、ディスプレイ１５０を携帯電話機１００の外側を向くようにも構成されている。すなわち、図１に示される状態で筐体１１０が二軸ヒンジ１３０に対して長手方向に１８０°回転される。さらに、筐体１１０は、二軸ヒンジ１３０の他の一軸を中心に回転される。その後、筐体１１０と筐体１２０とが閉じられる。そうすると、図２に示されるように、ディスプレイ１５０が携帯電話機１００の外側に現われ、ボタン１６０はその内側に隠される。
【００３４】
なお、本実施の形態においては、携帯電話機１００は折畳式であるが、他の局面において、１つの筐体が他の筐体に対して摺動するように構成されたスライド式であってもよい。また、さらに他の局面においては、タブレット式あるはストレート式の端末装置が適用されてもよい。
【００３５】
図３を参照して、本実施の形態に係る携帯電話機１００のハードウェア構成について説明する。図３は、携帯電話機１００のハードウェア構成の表わすブロック図である。携帯電話機１００は、図１に示される構成に加えて、通信装置３０２と、チューナ３０４と、アンテナ３０６，３０８と、ＣＰＵ（Central  Processing  Unit）３１０と、測位処理部３１２と、測位信号受信フロントエンド部３１４と、ＧＰＳ（Global  Positioning  System）アンテナ３１６と、カメラ３２０と、フラッシュメモリ３４４と、ＲＡＭ（Random  Access  Memory）３４６と、ＲＯＭ（Read  Only  Memory）３４８と、音声信号処理回路３７０と、ＬＥＤ（Light  Emitting  Diode）３７６と、メモリカード駆動装置３８０と、データ通信Ｉ／Ｆ（Interface）３７８と、バイブレータ３８４とを備える。メモリカード駆動装置３８０には、メモリカード３８２が装着され得る。
【００３６】
アンテナ３０６は、ワンセグ放送波を受信する。チューナ３０４は、ＣＰＵ３１０の命令に従って番組を選局し、映像信号および音声信号をＣＰＵ３１０に伝送する。
【００３７】
アンテナ３０８によって受信された信号は、通信装置３０２によってフロントエンド処理が行なわれた後、処理後の信号は、ＣＰＵ３１０に送られる。ＣＰＵ３１０は、携帯電話機１００に対して与えられる命令に基づいて携帯電話機１００の動作を制御するための処理を実行する。ＣＰＵ３１０は、通信装置３０２から送られた信号に基づいて予め規定された処理を実行し、処理後の信号を音声信号処理回路３７０に送出する。音声信号処理回路３７０は、その信号に対して予め規定された信号処理を実行し、処理後の信号をスピーカ１４０に送出する。スピーカ１４０は、その信号に基づいて音声を出力する。
【００３８】
マイク１７０は、携帯電話機１００に対する発話を受け付けて、発話された音声に対応する信号を音声信号処理回路３７０に対して送出する。音声信号処理回路３７０は、その信号に基づいて通話のために予め規定された処理を実行し、処理後の信号をＣＰＵ３１０に対して送出する。ＣＰＵ３１０は、その信号を送信用のデータに変換し、変換後のデータを通信装置３０２に対して送出する。通信装置３０２は、そのデータを用いて送信用の信号を生成し、アンテナ３０８に向けてその信号を送出する。
【００３９】
フラッシュメモリ３４４は、ＣＰＵ３１０から送られるデータを格納する。また、ＣＰＵ３１０は、フラッシュメモリ３４４に格納されているデータを読み出し、そのデータを用いて予め規定された処理を実行する。
【００４０】
ＲＡＭ３４６は、ボタン１６０に対して行なわれた操作に基づいてＣＰＵ３１０によって生成されるデータを一時的に保持する。ＲＯＭ３４８は、携帯電話機１００に予め定められた動作を実行させるためのプログラムあるいはデータを格納している。ＣＰＵ３１０は、ＲＯＭ３４８から当該プログラムまたはデータを読み出し、携帯電話機１００の動作を制御する。
【００４１】
メモリカード駆動装置３８０は、メモリカード３８２に格納されているデータを読み出し、ＣＰＵ３１０に送出する。逆にメモリカード駆動装置３８０は、ＣＰＵ３１０によって出力されるデータを、メモリカード３８２の空き領域に書き込む。
【００４２】
音声信号処理回路３７０は、上述のような通話のための信号処理を実行する。なお、図３に示される例では、ＣＰＵ３１０と音声信号処理回路３７０とが別個の構成として示されているが、他の局面において、ＣＰＵ３１０と音声信号処理回路３７０とが一体として構成されていてもよい。
【００４３】
ディスプレイ１５０は、タッチパネル式のディスプレイであるが、タッチパネルの機構は特に限られない。ディスプレイ１５０は、ＣＰＵ３１０から取得されるデータに基づいて、当該データによって規定される画像を表示する。たとえば、フラッシュメモリ３４４が格納している静止画、動画、音楽ファイルの属性（当該ファイルの名前、演奏者、演奏時間など）を表示する。
【００４４】
ＬＥＤ３７６は、ＣＰＵ３１０からの信号に基づいて、予め定められた発光動作を実現する。たとえば、ＬＥＤ３７６が複数の色を表示可能な場合には、ＬＥＤ３７６は、ＣＰＵ３１０から出力される信号に含まれるデータに関連付けられている色で発光する。発光の態様（間隔、発光する色の数、点滅パターンなど）は特に限られない。
【００４５】
データ通信Ｉ／Ｆ３７８は、データ通信用のケーブルの装着を受け付ける。データ通信Ｉ／Ｆ３７８は、ＣＰＵ３１０から出力される信号を当該ケーブルに対して送出する。あるいは、データ通信Ｉ／Ｆ３７８は、当該ケーブルを介して受信されるデータを、ＣＰＵ３１０に対して送出する。
【００４６】
バイブレータ３８４は、ＣＰＵ３１０から出力される信号に基づいて、予め定められた周波数で発振動作を実行する。
【００４７】
ＧＰＳアンテナ３１６は、ＧＰＳ衛星から発信される信号を受信し、受信した信号を測位信号受信フロントエンド部３１４に送出する。測位信号受信フロントエンド部３１４は、少なくとも３つ（望ましくは４つ以上）のＧＳＰ衛星から受信した各信号に基づいてパターンマッチングを行ない、各信号に含まれるコードパターンと携帯電話機１００が保持するコードパターンとが一致した場合に、その信号を測位処理部３１２に送出する。
【００４８】
測位処理部３１２は、その信号を用いて、測位処理を実行し、当該信号を受信した携帯電話機１００の位置を算出する。ＣＰＵ３１０は、その算出結果をディスプレイ１５０に表示する。ある局面において、ディスプレイ１５０は、測位処理部３１２が算出した携帯電話機１００の位置情報（たとえば緯度、経度、高度など）を地図上に重ねて表示してもよい。他の局面において、ディスプレイ１５０は、カメラ３２０によって撮影された場所の画像と、当該場所の位置情報とを重ねて表示してもよい。
【００４９】
図４を参照して、本実施の形態に係る携帯電話機１００による輝度変化について説明する。図４は、２次元表示と３次元表示との間の切り替え時における輝度変化を説明するための図である。
【００５０】
グラフＡに示されるように、ディスプレイ１５０を２次元表示（２Ｄ）と３次元表示（３Ｄ）との間で切り替える制御（ＬＣＤ制御）が行われる場合、通常は、バックライト電流（ＢＬ電流）は、一定レベルである。この場合、輝度（すなわち見た目）は、２次元表示の場合の輝度を１００％とすると、３次元表示の場合の輝度は、約５０％となる。これは、状態ＢおよびＣに示されるように、ディスプレイ１５０に含まれる液晶表示パネル４００の上部（表示出力方向）に配置されたスイッチング液晶４１０において、視差バリア４２０，４２１，４２２，４２３が、３次元表示の時に形成されて、液晶表示パネル４００から発せられる光量が減少するためである。
【００５１】
図５を参照して、輝度変化についてさらに説明する。図５は、ディスプレイ１５０が縦長方向および横長方向のいずれでも、その姿勢に応じて画像を表示可能な場合におけるディスプレイ１５０の構成を表わす図である。
【００５２】
図５において、状態Ａに示されるように、ディスプレイ１５０が縦長方向にある場合、スリット５１０，５１１，５１２を構成するために、視差バリア５２０，５２１，５２２，５２３が形成される。図５の状態Ｂに示されるように、ディスプレイ１５０が横長方向にある場合、スリット５４０，５４１，５４２を構成するために視差バリア５３０，５３１，５３２，５３３が形成される。スリット５１０，５１１，５１２の各幅は、スリット５４０，５４１，５４２の各幅よりも大きい。したがって、図５に示される例では、携帯電話機１００が縦方向にある場合の輝度は、横方向にある場合の輝度よりも大きくなる。したがって、縦長の姿勢で３次元の画像を表示している携帯電話機１００を９０度程度回転させることにより横方向に姿勢を変えると、輝度が低下することになる。
【００５３】
次に、図６を参照して、表示が切り替えられる場合における画像の不適切な表示について説明する。図６は、２次元表示から３次元表示に切り替える場合における画像の不適切な表示を説明するための図である。
【００５４】
グラフ６０１に示されるように、ディスプレイ１５０を２次元表示（２Ｄ）と３次元表示（３Ｄ）との間で切り替える制御（ＬＣＤ制御）が行われる場合、グラフ６０２に示されるように、視差バリアを形成するためのバリア制御が行なわれる。バリア制御において、視差バリアの形成を指示する命令が、実線のように、時刻ＴＡで与えられると、実際には、視差バリアの形成に時間を要するために遅延が生じる。視差バリアの応答速度は、約２〜３フレームであり、４０ｍｓｅｃ程度あるためである。結果として、点線に示されるように、時刻ＴＢにおいて形成される。したがって、グラフ６０３に示されるように、時刻ＴＡと時刻ＴＢとの間は、視差バリアが完全に形成されていない状態での３Ｄ画像６１０が表示されることになる。このことは、３次元の表示のための画像６２０に対して視差バリア６３０が適用されると、左目用の画像６４０と、右目用の画像６５０とが形成されることからも理解できる。
【００５５】
図７を参照して、本実施の形態に係る携帯電話機１００の特性を説明する。図７は、携帯電話機１００の動作特性を表わす図である。
【００５６】
ある局面において、視差バリアによって遮断される表示領域がディスプレイ１５０の表示領域の約半分であると仮定する。この場合、グラフ７０１に示されるように、ディスプレイ１５０を２次元表示（２Ｄ）と３次元表示（３Ｄ）との間で切り替える制御（ＬＣＤ制御）が行われると、グラフ７０２に示されるように、３次元表示におけるバックライト電流（ＢＬ電流）の大きさは、２次元表示におけるバックライト電流の大きさの２倍となる。これにより、半分の領域における輝度が２倍になるため、ディスプレイ１５０における輝度は、切り替え前の輝度と同程度になるため、グラフ７０３に示されるように、２次元表示と３次元表示との間のスムーズな切り替えが実現される。
【００５７】
図８を参照して、他の局面における携帯電話機１００の特性を説明する。図８は、他の局面に従う携帯電話機１００の動作特性を表わす図である。
【００５８】
グラフ８０１に示されるように、ディスプレイ１５０を２次元表示（２Ｄ）と３次元表示（３Ｄ）との間で切り替える制御（ＬＣＤ制御）が行われる時、視差バリアを形成するために与えられる電圧は、グラフ８０２に示されるように、時刻ＴＡにおいては、オーバーシュートされた電圧値ＶＭＡＸが与えられる。これは、３次元表示が安定して実現される定常状態時に与えられる電圧値ＶＣよりも大きい。この場合、グラフ８０３に示されるように、視差バリアは、時刻ＴＣで形成されることになるため、電圧値ＶＭＡＸが与えられない場合において視差バリアが形成される時刻ＴＢよりも早くなる。結果として、不適切な画像が形成される時間が短くなる。
【００５９】
図９を参照して、さらに他の局面における携帯電話機１００について説明する。図９は、さらに他の局面に従う携帯電話機１００の動作特性を表わす図である。
【００６０】
グラフ９０１に示されるように、ディスプレイ１５０を２次元表示（２Ｄ）と３次元表示（３Ｄ）との間で切り替える制御（ＬＣＤ制御）が行われる時、視差バリアを形成するためのバリア制御は、グラフ９０２に示されるように、時刻ＴＤから開始される。この場合、グラフ９０３に示されるように、時刻ＴＡにおいて３次元表示への切り替えが完了するまで、ディスプレイ１５０は、シャッターが含まれた２次元画像９１０を表示する。シャッターが含まれる２次元画像９１０は、シャッターが含まれない３次元画像よりも、視認性に優れているため、視差バリアの形成時にもたらされる画像によるユーザへのインパクトが和らげられ得る。
【００６１】
図１０を参照して、さらに他の局面における携帯電話機１００について説明する。図１０は、さらに他の局面に従う携帯電話機１００の動作特性を表わす図である。
【００６２】
グラフ１００１に示されるように、ディスプレイ１５０を２次元表示（２Ｄ）と３次元表示（３Ｄ）との間で切り替える制御（ＬＣＤ制御）が行われる時、視差バリアを形成するためにスイッチング液晶に動作電圧が与えられる。このとき、グラフ１００２に示されるように、デューティー比は、徐々に上げられて、たとえば、時刻ＴＢになるときに５０％とされる。このとき、領域１０１０に示されるように、示唆量は徐々に調整される。結果として、グラフ１００３に示されるように、時刻ＴＡと時刻ＴＢとの間は、２次元画像から３次元画像に切り替わる過渡期にある画像１０２０が表示される。この場合、携帯電話機１００のユーザは、２次元表示から３次元表示への変化に徐々に慣れることができる。
【００６３】
図１１を参照して、さらに他の局面における携帯電話機１００の動作について説明する。図１１は、さらに他の局面に従う携帯電話機１００の動作特性を表わす図である。
【００６４】
グラフ１０１１に示されるように、ディスプレイ１５０を２次元表示（２Ｄ）と３次元表示（３Ｄ）との間で切り替える制御（ＬＣＤ制御）が行われる時、視差バリアの形成に要する時間のため、過渡状態１１１０が形成される。このとき、グラフ１０１２に示されるように、バリア制御として、駆動信号は、時刻ＴＡから時刻ＴＢまで徐々に上昇する態様で、スイッチング液晶４１０に与えられる。このとき、グラフ１０１３に示されるように、ディスプレイ１５０は、画像１１２０を表示する。過渡状態１１１０は、視差バリアが完全に形成されていない状態であるため、ＣＰＵ３１０は、ＲＡＭ３４６に保持されているデータに基づいて、画像１１２０として、たとえば、全黒の画面、記号その他の２次元表示および３次元表示のいずれでも視認可能な絵あるいは文字をディスプレイ１５０に表示する。このデータは、フラッシュメモリ３４４、ＲＯＭ３４８その他の不揮発データ記録媒体から読み出されたもの、あるいは、通信信号その他の信号により、携帯電話機１００が外部から取得したものである。このような絵や文字を表示することにより、ユーザは、２次元表示と３次元表示との切り替えを認識することができる。
【００６５】
なお、ここまでの説明では携帯電話機１００が、２次元表示から３次元表示に切り替わる場合を説明したが、３次元表示から２次元表示に切り替わるときも、このような技術思想を適用してもよい。
【００６６】
つまり、図７であれば、３次元表示におけるバックライト電流の大きさの１／２倍とすればよく、図８であれば、アンダーシュートされた電圧値を与えればよく、図１０であれば、デューティー比を、徐々に下げればよい。これらの具体的な制御については、図２０から図２５において詳述する。
【００６７】
次に、図１２を参照して、さらに他の局面における携帯電話機１００の動作について説明する。図１２は、３次元表示を行なっている携帯電話機１００を時計回りに約９０度回転させた時に形成される視差バリアを表わす図である。
【００６８】
携帯電話機１００が縦方向に把持されている場合に３次元表示を行なっているとき、状態Ａに示されるように、視差バリア１２１０，１２２０，１２３０，１２４０は、縦方向に形成される。この状態で、この局面に従う携帯電話機１００を時計回りに回転すると、状態Ｂに示されるように、たとえば、約４５度回転させた時点で、視差バリア１２１０，１２２０，１２３０，１２４０は、回転角度に応じた傾き（すなわち約４５度）で形成される。その後、さらに、携帯電話機１００が回転されて横方向になると、状態Ｃに示されるように、視差バリア１２１０，１２２０，１２３０，１２４０は、横方向に形成される。このようにすると、３次元の画像を表示しているディスプレイ１５０が回転されても、回転途中の位置においても３次元画像が表示される（状態Ｂ）。したがって、携帯電話機１００の姿勢が切り替わっても、３次元の画像が適切に表示される。
【００６９】
なお、図１２では、回転途中の位置として約４５度が回転された状態が例示されているが、回転途中の位置としてはこれに限られない。視差バリアは、より多くの位置で形成されてもよい。たとえば、さらに別の局面において、携帯電話機１００は、回転角度が約３０度、６０度である場合において、その角度に応じた視差バリアが形成されてもよい。
【００７０】
次に、図１３を参照して、さらに他の局面における携帯電話機１００の動作について説明する。図１３は、３次元表示を行なっている携帯電話機１００を時計回りに約９０度回転させた時の画素の配置を表わす図である。
【００７１】
状態Ａに示されるように、携帯電話機１００が縦方向に把持されている場合に３次元表示を行なっているとき、携帯電話機１００は、左目用の画像（Ｌ）を領域１３１０に表示し、右目用の画像（Ｒ）を領域１３２０に表示している。このとき、左目用の画像および右目用の画像においては、いずれも、左方向から右方向にＲＧＢの配列１３５０が形成されているとする。
【００７２】
状態Ｂに示されるように、この局面に従う携帯電話機１００が時計方向に約４５度回転されると、左目用の画像（Ｌ）は、回転位置に応じて、領域１３３０に表示される。その後、携帯電話機１００がさらに回転され（状態Ｃ）、９０度回転されて横方向になる（状態Ｄ）。ディスプレイ１５０は、横長方向の状態で、３次元の画像を表示する。すなわち、左目用の画像は、領域１３３０に表示され、右目用の画像は、領域１３１０に表示される。
【００７３】
この場合、左目用の領域１３１０が表示される領域は、状態Ａ，Ｂ，Ｃにおいて異なる。このような領域の変更は、ある局面において、携帯電話機１００が、その回転位置を検知し、その回転角に応じて行なわれる。たとえば、携帯電話機１００の姿勢が、状態Ａに示される位置から、状態Ｂに示される位置に変わった場合、携帯電話機１００は、左右に配置される複数の領域（たとえば、領域１３３０，１３２０）を検知する。
【００７４】
携帯電話機１００がさらに回転して、図１３（Ｃ）に示される位置にある場合も、同じ領域が検出される。その後、携帯電話機１００が約９０度回転すると、左右方向に配置される領域として、領域１３３０，１３１０が検出される。この場合、領域１３４０，１３２０の組も左右に配置される関係にあるので、領域１３４０，１３２０が検出されてもよい。この局面においては、領域１３３０，１３１０の組が、領域１３４０，１３２０の組よりも上に来るので、ＣＰＵ３１０は、領域１３３０，１３１０に３次元表示のための画像を表示する。
【００７５】
図１４および図１５を参照して、ディスプレイ１５０の明るさの変化について説明する。グラフＡは、視差バリアが形成されたときにディスプレイ１５０の明るさの変化を表わす図である。時刻Ｔ１において、視差バリアを形成するための命令がスイッチング液晶４１０に与えられると、視差バリアが形成されるにつれて明るさが低下する。時刻Ｔ３において視差バリアの形成が完了すると、３次元表示が定常的に行なわれる場合の明るさが維持される。
【００７６】
グラフＢは、本実施の形態にしたがって、バックライトの明るさを制御したときのディスプレイ１５０の明るさの変化を表わす図である。時刻Ｔ１において、画像の表示が２次元の表示から３次元の表示に切り替わると、バックライト電流の指令値が、増加される。その結果、グラフＢに示されるように、バックライト電流の増加に応答して、ディスプレイ１５０の明るさも増加する。時刻Ｔ２において、バックライト電流が一定レベルまで到達すると、ディスプレイ１５０の明るさは維持される。
【００７７】
そこで、グラフＡおよびグラフＢに示される特性を用いると、グラフＣに示されるように、時刻Ｔ１からＴ２まで明るさが増加し、その後、時刻Ｔ２から時刻Ｔ３まで明るさが減少する。そのため、明るさの増加及び減少が「ちらつき」として認識される場合がある。
【００７８】
そこで、図１５を参照して、このような明るさのちらつきへの対応について説明する。グラフＡおよびグラフＢは、図１４のグラフＡおよびグラフＢにそれぞれ対応する。グラフＣは、明るさの変化への対応を表わす図である。
【００７９】
グラフＡに示されるように、２次元表示から３次元表示への切り替えにおける明るさの変化がたとえば、関数ＬＤ・ｆ（ｔ−Ｔ１）（ｔは時間を表す）として表わされるとき、グラフＣに示されるように、その関数の値の逆数を与える関数ＬＢ・１／ｆ（ｔ−Ｔ１）に従うバックライト制御を行なう。すなわち、時刻Ｔ１から時刻Ｔ４まで、関数ＬＢ・１／ｆ（ｔ−Ｔ１）に基づくバックライト電流値でバックライトの制御を行う。このようにすると、グラフＡに示される明るさ変化と、グラフＣに示される明るさ変化とが相殺されて、図１５（Ｄ）に示されるように、一定の明るさ（ＬＤ・ＬＢ）が実現される。この場合、時刻Ｔ３＝Ｔ４である。このようにすると、明るさの変化に起因するちらつきが抑制され得る。
【００８０】
なお、逆数を与える関数としては、近似の関数を用いてもよい。
次に、図１６および図１７を参照して、ディスプレイ１５０の明るさの変化について説明する。図１６のグラフＡは、視差バリアが形成されたときにディスプレイ１５０の明るさの変化を表わす図である。時刻Ｔ１において、視差バリアを形成するための命令がスイッチング液晶４１０に与えられると、視差バリアが形成されるにつれて明るさが低下するが、本実施の形態では、命令後もディスプレイ１５０の明るさが一定期間保持され、明るさが低下するタイミングが時刻Ｔ５以降となる場合、つまり、命令と視差バリアの形成反応が同時刻でない場合を示している。時刻Ｔ３において視差バリアの形成が完了すると、３次元表示が定常的に行なわれる場合の明るさが維持される。
【００８１】
グラフＢは、本実施の形態にしたがって、バックライトの明るさを制御したときのディスプレイ１５０の明るさの変化を表わす図である。時刻Ｔ１において、画像の表示が２次元の表示から３次元の表示に切り替わると、バックライト電流の指令値が、増加される。その結果、グラフＢに示されるように、バックライト電流の増加に応答して、ディスプレイ１５０の明るさも増加する。時刻Ｔ２において、バックライト電流が一定レベルまで到達すると、ディスプレイ１５０の明るさは維持される。
【００８２】
そこで、グラフＡおよびグラフＢに示される特性を用いると、グラフＣに示されるように、時刻Ｔ１からＴ２まで明るさが増加し、その後、時刻Ｔ２から時刻Ｔ５まで明るさが一定に保たれ、時刻Ｔ５から時刻Ｔ３まで明るさが減少する。そのため、明るさの増加及び減少が「ちらつき」として認識される場合がある。
【００８３】
そこで、図１７を参照して、このような明るさのちらつきへの対応について説明する。グラフＡおよびグラフＢは、図１６のグラフＡおよびグラフＢに対応する。グラフＣは、明るさの変化への対応を表わす図である。
【００８４】
グラフＡに示されるように、２次元表示から３次元表示への切り替えにおける明るさの変化がたとえば、関数ＬＤ・ｇ（ｔ−Ｔ１）（ｔは時間を表す）として表わされるとき、グラフＣに示されるように、その関数の値の逆数を与える関数ＬＢ・１／ｇ（ｔ−Ｔ１）に従うバックライト制御を行なう。すなわち、時刻Ｔ１から時刻Ｔ５まで、関数ＬＢ・１／ｇ（ｔ−Ｔ１）に基づくバックライト電流値でバックライトの制御を行う。このようにすると、グラフＡに示される明るさ変化と、グラフＣに示される明るさ変化とが相殺されて、グラフＤに示されるように、一定の明るさ（ＬＤ・ＬＢ）が実現される。この場合、時刻Ｔ５＝Ｔ６である。これにより、明るさの変化に起因するちらつきが抑制され得る。時刻Ｔ６以降は、図１４および図１５に記載した実施の形態を用いることで、ちらつきが抑制され得る。
【００８５】
なお、２次元表示から３次元表示への切り替えにおける明るさの変化が定数に近似できる場合は、逆数を与える関数も関数でなく、逆数を用いてもよい。
【００８６】
なお、ここまでの説明では携帯電話機１００が、２次元表示から３次元表示に切り替わる場合を説明したが、３次元表示から２次元表示に切り替わるときも、このような技術思想を適用してもよい。つまり、図１４から図１７において、逆数を与える関数に従うようにバックライトの電流値を制御したのと同様に制御することで「ちらつき」が抑制される。
【００８７】
図１８を参照して、本実施の形態に係る携帯電話機１００を実現するＣＰＵ３１０について説明する。図１８は、ＣＰＵ３１０の構成を詳細に表わす図である。ＣＰＵ３１０は、バッファ１７１０，１７２０と、視差判定部１７３０と、画像処理部１７４０とを含む。バッファ１７１０と視差判定部１７３０とは、ＲＡＭ３４６に接続されている。バッファ１７１０の出力は、バッファ１７２０の入力と、視差判定部１７３０の入力と、画像処理部１７６０の入力とにそれぞれ接続されている。バッファ１７２０の出力は、視差判定部１７３０の入力と、画像処理部１７４０の入力とにそれぞれ接続されている。
【００８８】
視差判定部１７３０の入力は、ＲＡＭ３４６の出力と、バッファ１７１０の出力と、バッファ１７２０の出力とにそれぞれ接続されている。視差判定部９３０の出力は、画像処理部１７４０の入力に接続されている。画像処理部１７４０の出力は、ディスプレイ１５０に接続される。
【００８９】
ある局面において、バッファ１７１０，１７２０は、それぞれ、ＲＡＭ３４６に格納されている画像データのうち、１画素分のデータを保持する。視差判定部１７３０は、２次元表示と３次元表示との切り替えを検知する。ある局面において、視差判定部１７３０は、バッファ１７１０，１７２０にそれぞれ格納されている各データと、ＲＡＭ３４６から読み出されたデータとに基づいて、左目用の画像データと右目用の画像データとに基づく視差が存在するか否かを判定する。
【００９０】
画像処理部１７４０は、左目用の画像データと、右目用の画像データとに基づいて画像を表示するためのデータを生成する。より詳しくは、最初に、画像処理部１７４０は、携帯電話機１００の姿勢を検出する。この検出は、たとえばジャイロセンサの出力に基づいて行なわれる。
【００９１】
画像処理部１７４０は、２次元の表示と３次元の表示との間で表示態様が切り替えられるときに、視差バリアの形成による液晶表示装置の明るさの時間的変化特性に応じて、バックライトの輝度を制御するように構成されている。
【００９２】
他の局面において、画像処理部１７４０は、時間的変化特性を表わす関数の逆関数に従う時間的変化特性に基づいて、バックライトの輝度を制御するように構成されている。
【００９３】
他の局面において、画像処理部１７４０は、バックライトに供給される電流を予め定められた大きさだけ増加することにより、バックライトの輝度を制御するように構成されている。
【００９４】
他の局面において、画像処理部１７４０は、２次元の表示から３次元の表示に切り替えるときに、スイッチング液晶４１０の駆動を制御するための信号値を、３次元の表示が行なわれているときに供給される定格信号値よりもオーバーシュートさせることにより、スイッチング液晶４１０が視差を形成するための時間を、定格信号値が与えられた場合に必要な時間よりも短くするように構成されている。
【００９５】
他の局面において、画像処理部１７４０は、２次元の表示から３次元の表示に切り替えるときに、スイッチング液晶４１０が視差を形成するために信号値がスイッチング液晶４１０に与えられるタイミングを予め定められた時間だけ早めることにより、視差バリアが形成された状態で２次元の画像を表示するように構成されている。
【００９６】
他の局面において、画像処理部１７４０は、２次元の表示から３次元の表示に切り替えるときに、視差バリアを形成するためにスイッチング液晶４１０に与えられる信号値のデューティー比を漸増させることにより、スイッチング液晶４１０による視差バリアの形成を制御するように構成されている。
【００９７】
他の局面において、ＲＡＭ３４６は、予め準備された画像を表示する画像データを保持している。画像処理部１７４０は、２次元の表示から３次元の表示に切り替えるときに、ＲＡＭ３４６に記憶されているデータに基づいて予め定められた画像を液晶表示装置に表示させるように構成されている。ＲＡＭ３４６に保持されているデータは、フラッシュメモリ３４４その他の不揮発性の記憶媒体に格納されている。あるいは、当該データは、携帯電話機１００の外部からデータ通信Ｉ／Ｆ３７８その他のインターフェイスを介して入力されるものであってもよい。
【００９８】
他の局面において、携帯電話機１００は、その姿勢を検出するための姿勢検出回路、たとえばジャイロセンサをさらに備えていてもよい。このとき、画像処理部１７４０は、携帯電話機１００の姿勢が縦と横との間で切り替わるときに、斜め方向の視差バリアをスイッチング液晶４１０に形成させるように構成されている。他の局面において、画像処理部１７４０は、画像表示機器の姿勢が縦と横との間で切り替わるときに、画像表示機器の回転に応じて画像を表示するためにデータが出力される画素を選択するように構成されている。
【００９９】
他の局面において、画像処理部１７４０は、３次元の表示から２次元の表示に切り替えるときに、スイッチング液晶４１０による視差バリアの形成が解除された後、液晶パネルの輝度が変化するまで、バックライトに供給される電流の調整を待機するように構成されている。
【０１００】
なお、図１８に示されるような構成に代えて、画像処理部１７４０が実行する各処理を実現する回路素子の組み合わせが用いられてもよい。
【０１０１】
＜変形例＞
次に、上記の実施の形態の変形例について説明する。上述のとおり、本実施の形態に係る技術思想の適用は、携帯電話機その他の端末に限られない。すなわち、上記の実施の形態では、２次元と３次元との表示を切り替えを制御するための制御装置（ＣＰＵ３１０）と、視差バリアを形成することにより３次元の画像を表示できる表示装置（ディスプレイ１５０）とが、一つの装置（携帯電話機１００）に含まれていた。しかしながら、当該制御装置と表示装置とは、別個の装置に含まれていてもよい。
【０１０２】
そこで、図１９を参照して、本実施の形態の変形例に係る画像再生装置１９００について説明する。図１９は、画像再生装置１９００と３次元表示装置１９０とを表わす図である。画像再生装置１９００は、たとえば、ＤＶＤ（Digital  Versatile  Disc）プレイヤー、ＤＶＤレコーダ、ＢＤ（Blu-ray  Disc）プレイヤー、ＢＤレコーダ、ＨＤＤ（Hard  Disk  Drive）レコーダ、画像制御回路として実現される。また、３次元表示装置１９９０は、３次元表示が可能なテレビ、ＰＣ（Personal  Computer）モニタその他の表示装置である。
【０１０３】
本変形例に従う画像再生装置１９００は、チューナ３０４と、ＣＰＵ３１０と、ＲＡＭ３４６と、ＲＯＭ３４８と、音声信号処理回路３７０と、メモリカード駆動装置３８０と、赤外線通信装置１９０２と、ディスク駆動装置１９２０と、ＨＤＤ１９４４と、モニタ１９５０と、音声出力１９４０と、音声入力１９７０と、データ通信Ｉ／Ｆ１９７８とを備える。なお、図３に示される構成と同じハードウェアには、同一の参照符号を付してある。したがって、それらの説明は繰り返さない。
【０１０４】
赤外線通信装置１９０２は、画像再生装置１９００の動作を制御するための赤外線信号を受信する。なお、他の局面において、制御信号の通信は、赤外線通信に代えて、ブルートゥースその他の信号が用いられてもよい。
【０１０５】
ディスク駆動装置１９２０は、光ディスク１９２２の装着を受け付ける。光ディスク１９２２は、ＤＶＤ、ＢＤその他のディスクである。光ディスク１９２２は、３次元表示のためのデータを格納しており、ディスク駆動装置１９２０によって読み出される。ＨＤＤ１９４４は、画像データを格納している。
【０１０６】
音声入力１９７０は、画像再生装置１９００の外部から音声信号の入力を受け付けるためのインターフェイスである。音声出力１９４０は、画像再生装置１９００の外部（たとえば、テレビ、ヘッドフォン等）に対して音声を出力するためのインターフェイスである。
【０１０７】
モニタ１９５０は、画像再生装置１９００の筐体の前面に配置され、画像再生装置１９００の動作状態を表示する。
【０１０８】
データ通信Ｉ／Ｆ１９７８は、３次元表示装置１９９０その他の表示装置との間で制御信号を通信する。ある局面において、データ通信Ｉ／Ｆ１９７８は、たとえば、ＨＤＭＩ（High-Definition  Multimedia  Interface）であるが、その他の通信規格が用いられてもよい。ある局面において、データ通信Ｉ／Ｆ１９７８は、２次元と３次元との表示の切り替えを制御するための信号を、３次元表示装置１９９０に送出する。
【０１０９】
３次元表示装置１９９０は、データ通信Ｉ／Ｆ１９９１と、ＣＰＵ１９９２と、液晶ディスプレイ１９９３とを備える。データ通信Ｉ／Ｆ１９９１は、データ通信装置１９７８と同様に、制御信号を通信する。ある局面では、データ通信装置１９９１は、液晶ディスプレイ１９９３による画像の表示を、２次元表示と３次元表示との間で切り替えを制御するための信号を、データ通信Ｉ／Ｆ１９７８から受信する。
【０１１０】
ＣＰＵ１９９２は、データ通信Ｉ／Ｆ１９９１から送られる制御信号に基づいて、液晶ディスプレイ１９９３による視差バリアの形成を制御する。この制御の態様は、前述の実施の形態に示したとおりである。
【０１１１】
以上のようにして、本実施の形態に係る携帯電話機１００または本変形例に係る画像再生装置１９００によると、２次元の表示と３次元の表示との間の切り替えがシームレスに行なわれる。したがって、明るさの変化に起因するちらつきも抑制される。
【０１１２】
ここで、図２０〜図２５を参照して、上記の実施の形態についてさらに説明する。図２０〜図２５は、それぞれ、３次元表示から２次元の表示に切り替える時の制御を表わす図である。
【０１１３】
図２０を参照して、ある局面において、３次元表示が行なわれているときの液晶パネルの輝度が、２次元表示が行われている場合の輝度の約５０％であると仮定する。この場合、ディスプレイ１５０を３次元表示（３Ｄ）から２次元表示（２Ｄ）との間で切り替える制御（ＬＣＤ制御）が行われるとき（グラフ２００１）、切り替え後の２次元表示におけるバックライト電流（ＢＬ電流）の大きさは、３次元表示におけるバックライト電流の大きさの約５０％となる（グラフ２００２）。これにより、切り替え前の領域の２倍の領域における輝度が約５０％になるため、ディスプレイ１５０における輝度は、切り替え前の輝度と同程度になる。その結果、３次元表示から２次元表示へのシームレスな切り替えが実現される（グラフ２００３）。なお、５０％という数値は、あくまで例示のためのものである。したがｔって、バックライト電流の出力レベルの値（上記の場合約５０％）は、動作特性や輝度の変化に応じてさらに補正されてもよい。
【０１１４】
図２１は、３次元の画像を表示している携帯電話機１００を縦方向から横方向に回転した状態を表わす図である。ここで、横に向けられた携帯電話機が３次元表示している場合における輝度が、縦方向に向けられている場合の輝度の約９５％と仮定する。
【０１１５】
携帯電話機１００を縦方向から横方向に回転させると（グラフ２１０１）、３次元の表示態様（すなわち、視差バリアの形成態様）が変更される。このとき、ある局面では、輝度が約９５％に減少するため、バックライト電流値は、その減少分が補われる程度に、増加する。この局面では、バックライト電流値は、約５％増加し、縦方向に配置されている場合の１０５％程度となる（グラフ２１０２）。結果として、視差バリアの形成態様の変化に伴う輝度の減少分（約５％）は、電流値の増加分（約５％）によって補完されるため、ディスプレイ１５０の向きが縦方向から横方向に変わっても、シームレスな切り替えが実現される（グラフ２１０３）。
【０１１６】
図２２は、携帯電話機１００による表示を、３次元の表示から２次元の表示に切り替える場合の他の制御を表わす図である。ディスプレイ１５０の表示が、３次元がから２次元に切り替わると（グラフ２２０１）、グラフ２２０２に示されるように、視差バリアの形成を制御するために与えられる動作電圧値が変更される。具体的には、３次元の表示から２次元の表示に切り替える際、２次元の時に与えられる動作電圧値よりも下回る水準の電圧値が、スイッチング液晶４１０に与えられて、視差バリアが形成される。その結果、グラフ２２０３に示されるように、バリア制御として２次元の表示のための視差バリアが形成されるタイミングが、通常のタイミングよりも早くなる。このようにバリアの形成のための応答速度が速くなるため、３次元の表示から２次元の表示への切り替えの際における不適切な画像の発生を抑制することができる。
【０１１７】
図２３を参照して、グラフ２３０１に示されるように、３次元の表示から２次元の表示に切り替えるとき、３次元の表示と２次元の表示との間に、少しずつ２次元の画像が表示される時間を設ける。具体的には、グラフ２３０２に示されるように、視差バリアの形成のために与えられる動作電圧を制御するためのデューティ比は、たとえば、５０％から０％まで徐々に減少する。減少のパターンは、たとえば、５％ごと、１０％ごとのように予め設定されるが、その他の減少パターンであってもよい。その結果、グラフ２３０３に示されるように、３次元で表示されていた画像は、少しずつ２次元の画像に切り替わることになる。結果として、ディスプレイ１５０を見ているユーザは、画像の変化になれることができる。
【０１１８】
図２４を参照して、グラフ２４０１に示されるように、ディスプレイ１５０を３次元表示（３Ｄ）から２次元表示（２Ｄ）に切り替える制御（ＬＣＤ制御）が行われる時、視差バリアの形成に要する時間のため、過渡状態２４１０が形成される。このとき、グラフ２４０２に示されるように、バリア制御として、駆動信号は、徐々に減少する態様で、スイッチング液晶４１０に与えられる。このとき、グラフ２４０３に示されるように、ディスプレイ１５０は、画像２４２０を表示する。過渡状態２４１０は、視差バリアが完全に形成されていない状態であるため、ＣＰＵ３１０は、ＲＡＭ３４６に保持されているデータに基づいて、画像２４２０として、たとえば、全黒の画面、記号その他の２次元表示および３次元表示のいずれでも視認可能な絵あるいは文字をディスプレイ１５０に表示する。このデータは、フラッシュメモリ３４４、ＲＯＭ３４８その他の不揮発データ記録媒体から読み出されたもの、あるいは、通信信号その他の信号により、携帯電話機１００が外部から取得したものである。グラフ２４０４に示されるように、このような絵や文字を表示することにより、ユーザは、３次元表示から２次元表示への切り替えを認識することができる。
【０１１９】
図２５は、３次元で画像を表示している携帯電話機１００の向きが縦方向から横方向に切り替わるときにおける制御態様を表わす図である。
【０１２０】
グラフ２５０１に示されるように、ディスプレイ１５０における制御態様が、３次元の縦方向時の態様から、横方向時の態様に切り替わるとき、間に、２次元の画像２５１０を表示するための制御が実行される。
【０１２１】
具体的には、グラフ２５０２に示されるように、３次元の縦方向の表示から横方向の表示に切り替わった時点で、２次元の画像を表示するための視差バリアが形成される。このとき、グラフ２５０３に示されるように、２次元の画像が表示される。結果として、ディスプレイ１５０の位置が縦方向でなくなった時点から、２次元の表示が行なわれるため、視差バリアの形成の切り替え時に３次元の表示のために不適切な画像が生成されることが防止される。
【０１２２】
この発明を詳細に説明し示してきたが、これは例示のためのみであって、限定ととってはならず、発明の範囲は添付の請求の範囲によって解釈されることが明らかに理解されるであろう。
【符号の説明】
【０１２３】
１００  携帯電話機、１１０，１２０  筐体、１３０  二軸ヒンジ、１４０  スピーカ、１５０  ディスプレイ装置、１６０  ボタン、１７０  マイク、３０４  チューナ、３０６，３０８  アンテナ、３１６  ＧＰＳアンテナ、３２０  カメラ、３８２  メモリカード。
【図１】
2012046686.tif 000003
【図２】
2012046686.tif 000004
【図３】
2012046686.tif 000005
【図４】
2012046686.tif 000006
【図５】
2012046686.tif 000007
【図６】
2012046686.tif 000008
【図７】
2012046686.tif 000009
【図８】
2012046686.tif 000010
【図９】
2012046686.tif 000011
【図１０】
2012046686.tif 000012
【図１１】
2012046686.tif 000013
【図１２】
2012046686.tif 000014
【図１３】
2012046686.tif 000015
【図１４】
2012046686.tif 000016
【図１５】
2012046686.tif 000017
【図１６】
2012046686.tif 000018
【図１７】
2012046686.tif 000019
【図１８】
2012046686.tif 000020
【図１９】
2012046686.tif 000021
【図２０】
2012046686.tif 000022
【図２１】
2012046686.tif 000023
【図２２】
2012046686.tif 000024
【図２３】
2012046686.tif 000025
【図２４】
2012046686.tif 000026
【図２５】
2012046686.tif 000027
【手続補正書】
【提出日】平成24年2月17日(2012.2.17)
【手続補正１】
【補正対象書類名】特許請求の範囲
【補正対象項目名】全文
【補正方法】変更
【補正の内容】
【特許請求の範囲】
【請求項１】
３次元の画像を表示可能な画像表示機器であって、
液晶表示装置と、
前記液晶表示装置に光を供給するバックライトと、
視差バリアを形成するように構成された形成部と、
２次元の表示と３次元の表示との間で表示態様が切り替えられるときに、前記視差バリアの形成による前記液晶表示装置の明るさの時間的変化特性に応じて、前記バックライトの輝度を制御するためのコントローラとを備え、
前記コントローラは、２次元の表示から３次元の表示に切り替えるときに、前記形成部の駆動を制御するための信号値を、３次元の表示が行なわれているときに供給される定格信号値よりもオーバーシュートさせることにより、前記形成部が視差を形成するための時間を、定格信号値が与えられた場合に必要な時間よりも短くするように構成されている、画像表示機器。
【請求項２】
前記コントローラは、前記時間的変化特性を表わす関数の逆関数に従う時間的変化特性に基づいて、前記バックライトの輝度を制御するように構成されている、請求項１に記載の画像表示機器。
【請求項３】
前記コントローラは、２次元の表示から３次元の表示に切り替えるときに、前記バックライトに供給される電流を予め定められた大きさだけ増加することにより、前記バックライトの輝度を制御するように構成されている、請求項１または２に記載の画像表示機器。
【請求項４】
（削除）
【請求項５】
３次元の画像を表示可能な画像表示機器であって、
液晶表示装置と、
前記液晶表示装置に光を供給するバックライトと、
視差バリアを形成するように構成された形成部と、
２次元の表示と３次元の表示との間で表示態様が切り替えられるときに、前記視差バリアの形成による前記液晶表示装置の明るさの時間的変化特性に応じて、前記バックライトの輝度を制御するためのコントローラとを備え、
前記コントローラは、２次元の表示から３次元の表示に切り替えるときに、前記形成部が視差を形成するために信号値が前記形成部に与えられるタイミングを予め定められた時間だけ早めることにより、視差バリアが形成された状態で２次元の画像を表示するように構成されている、画像表示機器。
【請求項６】
３次元の画像を表示可能な画像表示機器であって、
液晶表示装置と、
前記液晶表示装置に光を供給するバックライトと、
視差バリアを形成するように構成された形成部と、
２次元の表示と３次元の表示との間で表示態様が切り替えられるときに、前記視差バリアの形成による前記液晶表示装置の明るさの時間的変化特性に応じて、前記バックライトの輝度を制御するためのコントローラとを備え、
前記コントローラは、２次元の表示から３次元の表示に切り替えるときに、視差バリアを形成するために前記形成部に与えられる信号値のデューティー比を漸増させることにより、前記形成部による視差バリアの形成を制御するように構成されている、画像表示機器。
【請求項７】
予め準備された画像を表示する画像データを記憶するためのメモリをさらに備え、
前記コントローラは、２次元の表示から３次元の表示に切り替えるときに、前記メモリに記憶されているデータに基づいて前記予め定められた画像を前記液晶表示装置に表示させるように構成されている、請求項１から３または５もしくは６のいずれかに記載の画像表示機器。
【請求項８】
前記画像表示機器の縦横の姿勢を検出するように構成された姿勢検出部をさらに備え、
前記コントローラは、前記画像表示機器の姿勢が縦と横との間で切り替わるときに、斜め方向の視差バリアを前記形成部に形成させるように構成されている、請求項１から３または５から７のいずれかに記載の画像表示機器。
【請求項９】
前記画像表示機器の縦横の姿勢を検出するように構成されたセンサをさらに備え、
前記コントローラは、前記画像表示機器の姿勢が縦と横との間で切り替わるときに、前記画像表示機器の回転に応じて画像を表示するためにデータが出力される画素を選択するように構成されている、請求項１から３または５から７のいずれかに記載の画像表示機器。
【請求項１０】
前記コントローラは、３次元の表示から２次元の表示に切り替えるときに、前記形成部による視差バリアの形成が解除された後、前記液晶パネルの輝度が変化するまで、バックライトに供給される電流の調整を待機するように構成されている、請求項１から３または５から９のいずれかに記載の画像表示機器。
【請求項１１】
視差バリアを形成することにより３次元の画像を表示可能な表示装置に接続されて、前記表示装置による画像の表示を制御するための表示制御装置であって、前記表示装置は、液晶表示装置と、前記液晶表示装置に光を供給するバックライトと、視差バリアを形成するための形成部とを備えており、
前記表示制御装置は、
前記表示装置との間で制御信号を通信するように構成された通信回路と、
２次元の表示と３次元の表示との間で表示態様が切り替えられるときに、前記視差バリアの形成による前記液晶表示装置の明るさの時間的変化特性に応じて、前記バックライトの輝度を制御するためのコントローラとを備える、表示制御装置。
【請求項１２】
前記コントローラは、前記時間的変化特性を表わす関数の逆関数に従う時間的変化特性に基づいて、前記バックライトの輝度を制御するように構成されている、請求項１１に記載の表示制御装置。
【請求項１３】
前記コントローラは、２次元の表示から３次元の表示に切り替えるときに、前記バックライトに供給される電流を予め定められた大きさだけ増加することにより、前記バックライトの輝度を制御するように構成されている、請求項１１または１２に記載の表示制御装置。
【請求項１４】
前記コントローラは、２次元の表示から３次元の表示に切り替えるときに、前記形成部の駆動を制御するための信号値を、３次元の表示が行なわれているときに供給される定格信号値よりもオーバーシュートさせることにより、前記形成部が視差を形成するための時間を、定格信号値が与えられた場合に必要な時間よりも短くするように構成されている、請求項１１に記載の表示制御装置。
【請求項１５】
前記コントローラは、２次元の表示から３次元の表示に切り替えるときに、前記形成部が視差を形成するために信号値が前記形成部に与えられるタイミングを予め定められた時間だけ早めることにより、視差バリアが形成された状態で２次元の画像を表示するように構成されている、請求項１１に記載の表示制御装置。
【請求項１６】
前記コントローラは、２次元の表示から３次元の表示に切り替えるときに、視差バリアを形成するために前記形成部に与えられる信号値のデューティー比を漸増させることにより、前記形成部による視差バリアの形成を制御するように構成されている、請求項１１に記載の表示制御装置。
【請求項１７】
予め準備された画像を表示する画像データを記憶するためのメモリをさらに備え、
前記コントローラは、２次元の表示から３次元の表示に切り替えるときに、前記メモリに記憶されているデータに基づいて前記予め定められた画像を前記液晶表示装置に表示させるように構成されている、請求項１１から１６のいずれかに記載の表示制御装置。
【請求項１８】
前記コントローラは、３次元の表示から２次元の表示に切り替えるときに、前記形成部による視差バリアの形成が解除された後、前記液晶パネルの輝度が変化するまで、バックライトに供給される電流の調整を待機するように構成されている、請求項１１から１７のいずれかに記載の表示制御装置。
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
３次元の画像を表示可能な画像表示機器であって、
液晶表示装置と、
前記液晶表示装置に光を供給するバックライトと、
視差バリアを形成するように構成された形成部と、
２次元の表示と３次元の表示との間で表示態様が切り替えられるときに、前記視差バリアの形成による前記液晶表示装置の明るさの時間的変化特性に応じて、前記バックライトの輝度を制御するためのコントローラとを備え、
前記コントローラは、２次元の表示から３次元の表示に切り替えるときに、前記形成部の駆動を制御するための信号値を、３次元の表示が行なわれているときに供給される定格信号値よりもオーバーシュートさせることにより、前記形成部が視差を形成するための時間を、定格信号値が与えられた場合に必要な時間よりも短くするように構成されている、画像表示機器。
【請求項２】
前記コントローラは、前記時間的変化特性を表わす関数の逆関数に従う時間的変化特性に基づいて、前記バックライトの輝度を制御するように構成されている、請求項１に記載の画像表示機器。
【請求項３】
前記コントローラは、２次元の表示から３次元の表示に切り替えるときに、前記バックライトに供給される電流を予め定められた大きさだけ増加することにより、前記バックライトの輝度を制御するように構成されている、請求項１または２に記載の画像表示機器。
【請求項４】
３次元の画像を表示可能な画像表示機器であって、
液晶表示装置と、
前記液晶表示装置に光を供給するバックライトと、
視差バリアを形成するように構成された形成部と、
２次元の表示と３次元の表示との間で表示態様が切り替えられるときに、前記視差バリアの形成による前記液晶表示装置の明るさの時間的変化特性に応じて、前記バックライトの輝度を制御するためのコントローラとを備え、
前記コントローラは、２次元の表示から３次元の表示に切り替えるときに、前記形成部が視差を形成するために信号値が前記形成部に与えられるタイミングを予め定められた時間だけ早めることにより、視差バリアが形成された状態で２次元の画像を表示するように構成されている、画像表示機器。
【請求項５】
３次元の画像を表示可能な画像表示機器であって、
液晶表示装置と、
前記液晶表示装置に光を供給するバックライトと、
視差バリアを形成するように構成された形成部と、
２次元の表示と３次元の表示との間で表示態様が切り替えられるときに、前記視差バリアの形成による前記液晶表示装置の明るさの時間的変化特性に応じて、前記バックライトの輝度を制御するためのコントローラとを備え、
前記コントローラは、２次元の表示から３次元の表示に切り替えるときに、視差バリアを形成するために前記形成部に与えられる信号値のデューティー比を漸増させることにより、前記形成部による視差バリアの形成を制御するように構成されている、画像表示機器。
【請求項６】
予め準備された画像を表示する画像データを記憶するためのメモリをさらに備え、
前記コントローラは、２次元の表示から３次元の表示に切り替えるときに、前記メモリに記憶されているデータに基づいて前記予め定められた画像を前記液晶表示装置に表示させるように構成されている、請求項１から５のいずれかに記載の画像表示機器。
【請求項７】
前記画像表示機器の縦横の姿勢を検出するように構成された姿勢検出部をさらに備え、
前記コントローラは、前記画像表示機器の姿勢が縦と横との間で切り替わるときに、斜め方向の視差バリアを前記形成部に形成させるように構成されている、請求項１から６のいずれかに記載の画像表示機器。
【請求項８】
前記画像表示機器の縦横の姿勢を検出するように構成されたセンサをさらに備え、
前記コントローラは、前記画像表示機器の姿勢が縦と横との間で切り替わるときに、前記画像表示機器の回転に応じて画像を表示するためにデータが出力される画素を選択するように構成されている、請求項１から６のいずれかに記載の画像表示機器。
【請求項９】
前記コントローラは、３次元の表示から２次元の表示に切り替えるときに、前記形成部による視差バリアの形成が解除された後、前記液晶パネルの輝度が変化するまで、バックライトに供給される電流の調整を待機するように構成されている、請求項１から８のいずれかに記載の画像表示機器。
【請求項１０】
視差バリアを形成することにより３次元の画像を表示可能な表示装置に接続されて、前記表示装置による画像の表示を制御するための表示制御装置であって、前記表示装置は、液晶表示装置と、前記液晶表示装置に光を供給するバックライトと、視差バリアを形成するための形成部とを備えており、
前記表示制御装置は、
前記表示装置との間で制御信号を通信するように構成された通信回路と、
２次元の表示と３次元の表示との間で表示態様が切り替えられるときに、前記視差バリアの形成による前記液晶表示装置の明るさの時間的変化特性に応じて、前記バックライトの輝度を制御するためのコントローラとを備える、表示制御装置。
【請求項１１】
前記コントローラは、前記時間的変化特性を表わす関数の逆関数に従う時間的変化特性に基づいて、前記バックライトの輝度を制御するように構成されている、請求項１０に記載の表示制御装置。
【請求項１２】
前記コントローラは、２次元の表示から３次元の表示に切り替えるときに、前記バックライトに供給される電流を予め定められた大きさだけ増加することにより、前記バックライトの輝度を制御するように構成されている、請求項１０または１１に記載の表示制御装置。
【請求項１３】
前記コントローラは、２次元の表示から３次元の表示に切り替えるときに、前記形成部の駆動を制御するための信号値を、３次元の表示が行なわれているときに供給される定格信号値よりもオーバーシュートさせることにより、前記形成部が視差を形成するための時間を、定格信号値が与えられた場合に必要な時間よりも短くするように構成されている、請求項１０に記載の表示制御装置。
【請求項１４】
前記コントローラは、２次元の表示から３次元の表示に切り替えるときに、前記形成部が視差を形成するために信号値が前記形成部に与えられるタイミングを予め定められた時間だけ早めることにより、視差バリアが形成された状態で２次元の画像を表示するように構成されている、請求項１０に記載の表示制御装置。
【請求項１５】
前記コントローラは、２次元の表示から３次元の表示に切り替えるときに、視差バリアを形成するために前記形成部に与えられる信号値のデューティー比を漸増させることにより、前記形成部による視差バリアの形成を制御するように構成されている、請求項１０に記載の表示制御装置。
【請求項１６】
予め準備された画像を表示する画像データを記憶するためのメモリをさらに備え、
前記コントローラは、２次元の表示から３次元の表示に切り替えるときに、前記メモリに記憶されているデータに基づいて前記予め定められた画像を前記液晶表示装置に表示させるように構成されている、請求項１０から１５のいずれかに記載の表示制御装置。
【請求項１７】
前記コントローラは、３次元の表示から２次元の表示に切り替えるときに、前記形成部による視差バリアの形成が解除された後、前記液晶パネルの輝度が変化するまで、バックライトに供給される電流の調整を待機するように構成されている、請求項１０から１６のいずれかに記載の表示制御装置。
【国際調査報告】
2012046686.tif 000028
2012046686.tif 000029